(57)【要約】【課題】建物の壁面などに対して安全かつ容易に作業を行う。【解決手段】枠体２は、互いに対向して前後に複数立設されて交叉筋交い３により連結される上下に接続可能なものである。この枠体２は、左右の縦枠２１，２１と、これら縦枠２１，２１を連結した横枠２２とを備えている。縦枠２１の下端部には、交叉筋交い３の端部を係止可能な第一取付ピン２４が設けられている。また、縦枠２１の中程には、第二取付ピン２５が設けられている。更に、縦枠２１の上端部に近接した部位には、第三取付ピン２６が設けられている。これら第一、第二及び第三取付ピン２４，２５，２６は、交叉筋交い３とともに、略水平な手摺棒５を係止可能な長さを有している。【選択図】　図３
2004068435.tif 000002
【特許請求の範囲】
【請求項１】
互いに対向して前後に複数立設され、交叉筋交いにより連結される上下に接続可能な枠体であって、
左右の縦枠と、これら縦枠を連結した横枠とを備え、
少なくとも一方の前記縦枠の下端部には、前記交叉筋交いの端部を係止可能な第一の係止突部が設けられ、
この第一の係止突部から前記縦枠と前記横枠との連結部分までの前記縦枠の略中間部分には、第二の係止突部が設けられていることを特徴とする枠体。
【請求項２】
請求項１記載の枠体であって、
前記縦枠の前記連結部分に近接した部分には、第三の係止突部が設けられていることを特徴とする枠体。
【請求項３】
請求項１又は２記載の枠体であって、
前記第一及び第二の係止突部は、前記交叉筋交いとともに、略水平な手摺棒を係止可能な長さを有していることを特徴とする枠体。
【請求項４】
請求項１〜３の何れか一項に記載の枠体を用いた枠組足場構造であって、
前記枠体が互いに対向して前後に複数立設され、
これら複数の前記枠体は、その前記第一及び第二の係止突部にそれぞれ前記交叉筋交いの端部が係止されることにより連結され、
これら連結された複数の前記枠体の横枠には足場板が架設されていることを特徴とする、枠体を用いた枠組足場構造。
【発明の詳細な説明】
【０００１】
【発明の属する技術分野】
本発明は、互いに対向して複数立設され交叉筋交いにより連結される上下に接続可能な枠体と、この枠体を用いた枠組足場構造とに関する。
【０００２】
【従来の技術】
従来、建物の壁面などに沿って多層階をなして仮設される枠組足場においては、最下階は、合板からなる足場合板と、互いに対向して足場合板の上部に立設された一対の枠体と、これら枠体どうしを連結した交叉筋交いと、枠体の上部に架設された足場板とから構成されている。また、この最下階の上部に設けられた各階は、下階の枠体の上部に接続されることによって互いに対向して立設された一対の枠体と、これら枠体どうしを連結した交叉筋交いと、枠体の上部に架設された足場板とから構成されている。
より具体的には、図４に示すように、枠体１０２は、左右の縦枠１２１，１２１と、これら縦枠１２１，１２１を上端で連結した横枠１２２とを接合することにより鳥居型に形成されたものである。横枠１２２は、図５（ａ）に示すように、対をなす他方の枠体１０２の横枠１２２とで足場板１０６を支持するものである。枠体１０２の各縦枠１２１の上下端部には、交叉筋交い１０３を取り付けるための取付ピン１２４，１２６が設けられている。交叉筋交い１０３は、２本の棒状部材をＸ字状に接合したものであり、これら棒状部材の各端部には、縦枠１２１の取付ピン１２４，１２６と互いに係合する孔部が設けられている。
【０００３】
【発明が解決しようとする課題】
しかしながら、上記のような枠組足場においては、図５（ａ）に示すように、作業者は、建物の壁面に対して作業を行う際に、交叉筋交い１０３と、この交叉筋交い１０３が取り付けられた枠体１０２，１０２の縦枠１２１，１２１と、この交叉筋交い１０３の上方に配置されてこの交叉筋交い１０３と同一階の一部を構成する足場板１０６と、この交叉筋交い１０３の下方に配置された下階の足場板（図示せず）とによって形成される隙間（図中斜線部分）から、無理な体勢で作業を行わねばならなかった。そのため、作業に手間がかかるとともに、作業の安全性を確保できなかった。
【０００４】
本発明の課題は、建物の壁面などに対して安全かつ容易に作業を行うことができる枠体及び枠組足場構造を提供することを目的とする。
【０００５】
【課題を解決するための手段】
上記課題を解決するために、請求項１記載の発明は、例えば図１〜図３及び図５（ｂ）に示すように、互いに対向して前後に複数立設され、交叉筋交い３により連結される上下に接続可能な枠体２であって、
左右の縦枠２１，２１と、これら縦枠２１，２１を連結した横枠２２とを備え、
少なくとも一方の前記縦枠２１の下端部には、前記交叉筋交い３の端部を係止可能な第一の係止突部（例えば、第一取付ピン２４）が設けられ、
この第一の係止突部２４から前記縦枠２１と前記横枠２２との連結部分までの前記縦枠の略中間部分には、第二の係止突部（例えば、第二取付ピン２５）が設けられていることを特徴とする。
【０００６】
請求項１記載の発明によれば、少なくとも一方の縦枠の下端部には第一の係止突部が設けられ、この第一の係止突部から縦枠と横枠との連結部分までの縦枠の略中間部分には第二の係止突部が設けられているので、前後に立設された複数の枠体の縦枠に設けられた第一及び第二の係止突部にそれぞれ交叉筋交いの端部を係止することにより、これら枠体を互いに連結することができる。従って、横枠の位置に対して低い位置で交叉筋交いの端部を縦枠に係止することができるため、従来と異なり、交叉筋交いと、この交叉筋交いが係止される複数の枠体の縦枠と、この交叉筋交いの上方で前記複数の枠体の横枠により支持される足場板等の横架材とによって形成される隙間（以下、交叉筋交いの上側の隙間とする）を広くすることができる。よって、枠体を用いて建物の壁面に隣接して枠組足場を構築した際に、交叉筋交いの上側の隙間を介し、建物の壁面に対して無理のない体勢で安全かつ容易に作業を行うことができる。
【０００７】
請求項２記載の発明は、例えば図１〜図３及び図５（ｂ）に示すように、請求項１記載の枠体であって、
前記縦枠２１の前記連結部分に近接した部分には、第三の係止突部（例えば、第三取付ピン２６）が設けられていることを特徴とする。
【０００８】
請求項２記載の発明によれば、互いに対向して前後に立設された複数の枠体の縦枠に設けられた第一の係止突部と、第二又は第三の係止突部とにそれぞれ交叉筋交いの端部を係止することにより、これら枠体を互いに連結することができる。従って、枠体を用いて建物の壁面に隣接して枠組足場を構築する際に、壁面に対して行う作業に応じて交叉筋交いを第一及び第三の係止突部に取り付けるか又は第一及び第二の係止突部に取り付けるかを選択することにより、交叉筋交いと、この交叉筋交いが係止される複数の枠体の縦枠と、この交叉筋交いの上方で前記複数の枠体の横枠により支持される横架材と、前記複数の枠体の下側に接続される他の複数の枠体の横枠により支持される他の横架材とによって形成される、交叉筋交いの上下左右の隙間の広さを選択することができる。
【０００９】
請求項３記載の発明は、例えば図１〜図３及び図５（ｂ）に示すように、請求項１又は２記載の枠体であって、
前記第一及び第二の係止突部２４，２５は、前記交叉筋交い３とともに、略水平な手摺棒５を係止可能な長さを有していることを特徴とする。
【００１０】
請求項３記載の発明によれば、縦枠の第一及び第二の係止突部には交叉筋交いとともに手摺棒を係止することができる。従って、この枠体を用いて枠組足場を構築した際に枠体に手摺棒を取り付けることにより作業者や工具などの落下を防ぐことができるため、より安全に作業を行うことができる。
【００１１】
請求項４記載の発明は、例えば図１〜図３及び図５（ｂ）に示すように、請求項１〜３の何れか一項に記載の枠体を用いた枠組足場構造であって、
前記枠体２が互いに対向して前後に複数立設され、
これら複数の前記枠体２，２は、その前記第一及び第二の係止突部２４，２５にそれぞれ前記交叉筋交い３の端部が係止されることにより連結され、
これら連結された複数の前記枠体２，２の横枠２２には足場板６が架設されていることを特徴とする。
【００１２】
請求項４記載の発明によれば、前後に複数立設された枠体の第一及び第二の係止突部にそれぞれ交叉筋交いの端部が係止されることによりこれら枠体が互いに連結され、これら連結された枠体の横枠の上部には足場板が架設されている。従って、横枠の位置に対して低い位置で交叉筋交いの端部が縦枠に係止されているので、従来と異なり、交叉筋交いの上側の隙間が広くなっている。よって、この交叉筋交いの上側の隙間を介し、建物の壁面に対して無理のない体勢で安全かつ容易に作業を行うことができる。
【００１３】
【発明の実施の形態】
以下、図面を参照しながら、本発明に係る枠組足場構造について具体的に説明する。なお、枠組足場１は、建物（図示せず）の壁面に作業を行うために建物の壁面などに沿って多層階をなして仮設される構築物である。
この枠組足場１においては、最下階（図示せず）は、合板からなる足場合板と、互いに対向して足場合板の上部に立設された一対の枠体と、これら枠体どうしを連結した交叉筋交いと、枠体の上部に架設された足場板などとから構成されている。なお、最下階の一部を構成する足場合板と枠体との間には、支持部材が介在している。この支持部材はジャッキ部を有しており、高さ調整が可能となっている。
そして、このような最下階の上部に設けられた各階は、図３に示すように、下階の枠体２，２の上部に接続されることによって互いに対向して立設された一対の枠体２，２と、これら枠体２，２どうしを連結した交叉筋交い３，３及び手摺棒５，…と、枠体２，２の上部に架設された足場板６（図３には、下階の足場板のみを図示している）とから構成されている。
なお、本実施の形態においては、建物の壁面は、図中奥行き側の枠組足場の側部に設けられているものとする。
【００１４】
枠体２は、図１に示すように、左右の縦枠２１，２１と、これら縦枠２１，２１の上端部を連結した横枠２２と、これら縦枠２１，２１及び横枠２２を補強した補強部材２３などとから一体に構成されている。なお、本実施の形態においては枠体２として鳥居型のものが用いられている。
【００１５】
縦枠２１は、鋼管によって形成されており、軸方向に複数接続可能となっている。この縦枠２１には、交叉筋交い３を取り付けるための第一取付ピン２４、第二取付ピン２５及び第三取付ピン２６がそれぞれ枠体２の内側に向かって突出して設けられている。より詳細には、第一取付ピン２４は、縦枠２１の下端部に設けられている。第二取付ピン２５は、この縦枠２１の中程に設けられており、本実施の形態においては、足場板６から作業者の腰の高さ程度の高さに設けられている。第三取付ピン２６は、縦枠２１の上端部に近接して設けられている。
【００１６】
第一取付ピン２４は、縦枠２１から突出して後述の交叉筋交い３の端部の孔部３２と手摺棒５の端部の孔部とに挿通されることができる棒状の突部２４１と、突部２４１の先端部から下方に出没可能に設けられた出没片２４２とからなる。より詳細には、突部２４１は、交叉筋交い３の孔部３２と手摺棒５の端部の孔部とを併せて係止可能な長さを有しており、その先端部に、下方に向かって開口する溝状の切欠部（図示せず）を備えている。出没片２４２は、突部２４１に挿通された交叉筋交い３の孔部３２や手摺棒５の孔部が突部から抜けるのを防ぐものである。この出没片２４２は、突部２４１の基端側に向かって上下幅が広くなる扇状の板状部材であり、その先端において突部２４１の切欠部の先端に取り付けられ、この切欠部から出没可能となっている。
第二取付ピン２５は、第一取付ピン２４と同様のものであり、縦枠２１から突出して交叉筋交い３の端部の孔部３２に挿通されることができる棒状の突部２５１と、突部２５１の先端部から下方に出没可能に設けられた出没片２５２とからなる。
第三取付ピン２６は、第一取付ピン２４と同様のものであり、縦枠２１から突出して交叉筋交い３の端部の孔部３２に挿通されることができる棒状の突部２６１と、突部２６１の先端部から下方に出没可能に設けられた出没片２６２とからなる。
【００１７】
横枠２２は、鋼管によって形成されており、図３に示すように、対をなす他方の枠体２の横枠２２とで足場板６を支持している。
補強部材２３は、上記縦枠２１，２１及び横枠２２に沿った略コ字状に設けられたものであり、縦枠２１，２１と横枠２２とに固定されている。
【００１８】
交叉筋交い３，３は、図２に示すように、等しい長さを有する２本の棒状部材３１，３１を中央部で接合したものである。より詳細には、交叉筋交い３，３は、リベット３３によって２本の棒状部材３１，３１を互いに平行な面内で回転可能に接合したものである。これら棒状部材３１，３１の両端部は扁平に形成されており、その厚さ方向に貫通する孔部３２を備えている。以下、これら交叉筋交い３，３を便宜的に区別し、一方を交叉筋交い３Ａとし、他方を交叉筋交い３Ｂとする。また、交叉筋交い３Ａ，３Ｂの棒状部材３１，３１を便宜的に区別し、交叉筋交い３Ａの棒状部材３１，３１を棒状部材３１Ａ，３１Ａとし、交叉筋交い３Ｂの棒状部材３１，３１を棒状部材３１Ｂ，３１Ｂとする。図２（ａ），（ｂ）に示すように、交叉筋交い３Ａの棒状部材３１Ａは交叉筋交い３Ｂの棒状部材３１Ｂより短くなっている。棒状部材３Ａ，３Ａからなる交叉筋交い３Ａは、建物の壁面に近接する側の枠体２の側部、つまり図３における奥側の側部に、第一及び第二取付ピン２４，２５を介して取り付けられている。棒状部材３Ｂ，３Ｂからなる交叉筋交い３Ｂは、建物の壁面から離間する側の枠体２の側部に、第一及び第三取付ピン２４，２６を介して取り付けられている。
【００１９】
手摺棒５は、略水平に延在する棒状の部材である。この手摺棒５の両端部は扁平に形成されており、その厚さ方向に貫通する孔部を備えている。このような手摺棒５は、枠体２の左右側部にそれぞれ２本取り付けられている。より詳細には、建物の壁面から離間する側の２本の手摺棒５，５は、それぞれ第一及び第三取付ピン２４，２６を介して枠体２の側部に取り付けられている。また、建物の壁面に近接する側の２本の手摺棒５，５は、それぞれ第一及び第二取付ピン２４，２５を介して枠体２の側部に取り付けられている。
足場板６は、両端にフック６１，…を備える鋼製の板状部材である。この足場板６は、対をなして前後に立設された枠体２，２の横枠２２，２２の上部にフック６１，…を介して架設されている。
【００２０】
なお、上記のように構築された枠組足場１の建物から離間する側の側部には、落下防止用のメッシュシート（図示せず）が設けられている。このようなメッシュシートは、例えば、以下のようなメッシュシート取付装置（図示せず）を用いて枠組足場１の側部に設けることができる。メッシュシート取付装置は、予め回転軸にロール上に巻回されたメッシュシートを引き出すことにより枠組足場１の側部にメッシュシートを設けるものである。具体的には、メッシュシート取付装置は、長尺な矩形状のメッシュシートと、それぞれ枠体２の側部に取付可能な円筒部材及び棒材などとを備えている。円筒部材の内部には、この円筒部材の軸心上に延在する回転軸が設けられている。また、円筒部材の側部には、この円筒部材の軸方向に延在する溝部が設けられている。メッシュシートは、その一側端部において円筒部材の回転軸に取り付けられるとともにこの回転軸に巻回され、多側端部において円筒部材の溝部から延出し、棒材に取り付けられている。このようなメッシュシート取付装置によれば、まず、対をなして前後に立設された枠体２，２のうち、一方の枠体２の側部に円筒部材を取り付け、次に、第二棒材を円筒部材から引き離すことによりメッシュシートを円筒部材から引き出し、次に、第二棒材を他方の枠体２に取り付けることにより、枠組足場１の側部にメッシュシートを容易に設けることができる。
【００２１】
以上のような枠組足場１によれば、枠体２の縦枠２１の下端部には第一取付ピン２４が設けられ、縦枠２１の中程には第二取付ピン２５が設けられており、これら第一及び第二取付ピン２４，２５にそれぞれ交叉筋交い３の端部が係止されることにより、対をなして前後に立設された２つの枠体２，２が互いに連結されている。従って、横枠２２の位置に対して低い位置で交叉筋交い３の端部を縦枠２１に係止することができるため、図５（ａ）及び（ｂ）示すように、従来と異なり、交叉筋交い３と、交叉筋交い３が係止された枠体２，２の縦枠２１，２１と、交叉筋交い３の上方で枠体２，２の横枠２２によって支持された足場板６とによって形成される隙間（図中斜線部分、以下、交叉筋交い３の上側の隙間とする）が広くなっている。よって、この交叉筋交い３の上側の隙間を介し、足場板６上から建物の壁面に対して無理のない体勢で安全かつ容易に作業を行うことができる。更に、このように建物の壁面に対して安全かつ容易に作業を行うことができるので、建物の壁面に対して行う作業の工期を短縮できるとともに作業コストを低廉化することができる。
【００２２】
また、建物の壁面から離間する側の枠体２，２の側部においては、第一及び第三取付ピン２４，２６にそれぞれ交叉筋交い３Ｂの端部が取り付けられ、建物の壁面に近接する側の枠体２，２の側部においては第一及び第二取付ピン２４，２５にそれぞれ交叉筋交い３Ａの端部が取り付けられている。このように壁面に対して行う作業に応じて交叉筋交い３を第一及び第三取付ピン２４，２６に取り付けるか、或いは第一及び第二取付ピン２４，２５に取り付けるかを選択することにより、交叉筋交い３と、交叉筋交い３が係止された枠体２，２の縦枠２１，２１と、交叉筋交い３の上方で枠体２，２の横枠２２によって支持された足場板６と、交叉筋交い３の下方に配置された下階の足場板６とによって形成される、交叉筋交い３の上下左右の隙間の広さを選択することができる。
【００２３】
また、建物の壁面に近接する側の手摺棒５，５のうち、上側の手摺棒５が足場板６からほぼ作業者の腰の高さ、つまり作業者の安全上、好ましい高さに設けられている。従って、この手摺棒５を介し、より安全に作業を行うことができる。更に、枠体２の両側部における下側の手摺棒５，５は、第一取付ピン２４，２４に取り付けられており、交叉筋交い３と下階の足場板６との間の隙間を仕切った状態となっている。従って、これら手摺棒５，５と交叉筋交い３とによって枠組足場からの作業者や工具などの落下を確実に防ぐことができ、その結果、作業者に安心感を抱かせることができる。
【００２４】
なお、上記実施の形態においては枠体２を鳥居型のものとして説明したが、Ｈ型や梯子型のものでも良い。
また、第二取付ピン２５は足場板６から作業者の腰の高さの縦枠２１の部位に設けられていることとして説明したが、第一取付ピン２４から縦枠２１と横枠２２との連結部分までの縦枠２１の略中間部分であれば、他の部位に設けられることとしても良い。例えば、既存の２種類の交叉筋交い３，３を枠体２，２の一方の側部と他方の側部とに取り付ける際に、これら交叉筋交い３，３の寸法に合わせて第二取付ピン２５の高さを設定することとしても良い。具体的には、これら交叉筋交い３，３のうち、長尺な方の棒状部材３１，３１からなる交叉筋交い３を枠体２の一方の側部の第一及び第三取付ピン２４，２６に取り付けるとともに短尺な方の棒状部材３１，３１からなる交叉筋交い３を枠体２の他方の側部の第一及び第二取付ピン２４，２５に取り付けることができるよう、第二取付ピン２５を縦枠２１に設けることとしても良い。
【００２５】
更に、交叉筋交い３Ａを枠体２の第一及び第二取付ピン２４，２５に取り付け、交叉筋交い３Ｂを第一及び第三取付ピン２４，２６に取り付けることして説明したが、以下のような同形状の交叉筋交いを第一及び第二取付ピン２４，２５と、第一及び第三取付ピン２４，２６とにそれぞれ取り付けることとしても良い。この交叉筋交いは、両端部にそれぞれ２つの孔部を備える２本の棒状部材と、これら棒状部材の中央部を接合したリベットとから形成されている。より具体的には、棒状部材は少なくとも棒状部材３２Ｂ以上の長さを有しており、棒状部材の中央部から各孔部までの長さは、棒状部材３２Ａの中央部から孔部３２までの長さと、棒状部材３２Ｂの中央部から孔部３２までの長さとに対応している。従って、この交叉筋交いは、棒状部材の端部側の孔部を介して第一および第三取付ピン２４，２６に取り付け可能となっているとともに、中央部側の孔部を介して第一および第二取付ピン２４，２５に取り付け可能となっている。このような交叉筋交いを用いた場合には、交叉筋交い３１Ａ，３２Ｂを別個に用意する必要がない分、手間をかけずに容易に枠組足場１を設けることができる。
【００２６】
【発明の効果】
請求項１記載の発明によれば、横枠の位置に対して低い位置で交叉筋交いの端部を縦枠に係止することができるため、従来と異なり、交叉筋交いと、この交叉筋交いが係止される複数の枠体の縦枠と、この交叉筋交いの上方で前記複数の枠体の横枠により支持される足場板等の横架材とによって形成される、交叉筋交いの上側の隙間を広くすることができる。よって、枠体を用いて建物の壁面に隣接して枠組足場を構築した際に、交叉筋交いの上側の隙間を介し、建物の壁面に対して無理のない体勢で安全かつ容易に作業を行うことができる。
【００２７】
請求項２記載の発明によれば、請求項１記載の発明と同様の効果が得られるのは勿論のこと、枠体を用いて建物の壁面に隣接して枠組足場を構築する際に、壁面に対して行う作業に応じて交叉筋交いを第一及び第三の係止突部に取り付けるか又は第一及び第二の係止突部に取り付けるかを選択することにより、交叉筋交いと、この交叉筋交いが係止される複数の枠体の縦枠と、この交叉筋交いの上方で前記複数の枠体の横枠により支持される横架材と、前記複数の枠体の下側に接続される他の複数の枠体の横枠により支持される他の横架材とによって形成される、交叉筋交いの上下左右の隙間の広さを選択することができる。
【００２８】
請求項３記載の発明によれば、請求項１又は２記載の発明と同様の効果が得られるのは勿論のこと、枠体を用いて枠組足場を構築した際に枠体に手摺棒を取り付けることにより作業者や工具などの落下を防ぐことができるため、より安全に作業を行うことができる。
【００２９】
請求項４記載の発明によれば、請求項１〜３の何れか一項に記載の発明と同様の効果が得られるのは勿論のこと、従来と異なり、交叉筋交いの上側の隙間が広くなっているため、この交叉筋交いの上側の隙間を介し、建物の壁面に対して無理のない体勢で安全かつ容易に作業を行うことができる。
【図面の簡単な説明】
【図１】本発明に係る枠体を示す図である。
【図２】交叉筋交いを示す図であり、（ａ）は第一及び第二取付ピンを介して枠体に取り付け可能な交叉筋交いを示す図であり、（ｂ）は第一及び第三取付ピンを介して枠体に取り付け可能な交叉筋交いを示す図である。
【図３】本発明に係る枠組足場構造を示す斜視図である。
【図４】従来の枠体を示す図である。
【図５】建物の壁面に作業を行うために用いることのできる隙間を示す概略図であり、（ａ）は従来の枠体を用いた場合における隙間を示す図であり、（ｂ）は本発明に係る枠体を用いた場合における隙間を示す図である。
【符号の説明】
２　枠体
３　交叉筋交い
５　手摺棒
６　足場板
２１　縦枠
２２　横枠
２４　第一取付ピン（第一の係止突部）
２５　第二取付ピン（第二の係止突部）
２６　第三取付ピン（第三の係止突部）
【図１】
2004068435.tif 000003
【図２】
2004068435.tif 000004
【図３】
2004068435.tif 000005
【図４】
2004068435.tif 000006
【図５】
2004068435.tif 000007